(57)【要約】【課題】パネルの貫通穴に装着する際に良好な節度感が得られるグロメットを提供する。【解決手段】グロメット２１はゴム材料の一体成形品であり、そのグロメット本体部２２は、小径環状部２５と大径環状部２６との間の外周に、貫通穴の周縁を嵌合させる係止用の周溝２７を備えている。小径環状部２５の外周面はテーパ状の案内面２５ａとされている。案内面２５ａ上に、１つの引掛け用突起３０および１つ以上の節度感用突起３１を設ける。グロメット本体部２２をパネルの貫通穴に装着する際、節度用突起３１が貫通穴を通過する際に抵抗となり、貫通穴の周縁が周溝に嵌合した時に、急激な抵抗変化となるので、周溝２７に貫通穴の周縁が間違いなく嵌合したという確かな感触、すなわち良好な節度感が得られる。【選択図】      図１
2004274886.tif 000002
【特許請求の範囲】
【請求項１】
パネルの貫通穴を通過する小径環状部と貫通穴の背後に止まる大径環状部との間の外周に、貫通穴の周縁を嵌合させる係止用の周溝を備えるとともに、前記小径環状部の外周面がテーパ状の案内面とされた弾性材料一体成形のグロメットにおいて、
前記小径環状部の案内面上に、前記案内面と周溝との境界から小径環状部の先端にわたる１つの引掛け用突起および１つ以上の節度感用突起を、円周方向に間隔をあけて設けことを特徴とするグロメット。
【請求項２】
前記引掛け用突起は節度感用突起より高さを高くし、節度感用突起はその頂部面が案内面のテーパに概ね沿う形状としたことを特徴とする請求項１記載のグロメット。
【請求項３】
前記節度感用突起の周溝との境界となる後端面が概ね垂直をなすことを特徴とする請求項１〜２記載のグロメット。
【請求項４】
前記節度感用突起が、小径環状部の先端面にも延びていることを特徴とする請求項１〜３記載のグロメット。
【請求項５】
前記外周の周溝に対応する内面に、挿入時抵抗調節用の周溝を形成したことを特徴とする請求項１〜４記載のグロメット。
【請求項６】
前記引掛け用突起の部分に、小径環状部の先端面からさらに前方に突出する棒状の電線固定部材を一体に設けたことを特徴とする請求項１〜５記載のグロメット。
【請求項７】
パネルの貫通穴を通過する小径環状部と貫通穴の背後に止まる大径環状部との間の外周に、貫通穴の周縁を嵌合させる係止用の周溝を備えるとともに、前記小径環状部の外周面がテーパ状の案内面とされたグロメット本体部と、前記グロメット本体部内を通すべき電線を案内し保持する電線案内保持用筒部とを弾性材料により一体成形した電線案内保持部付きのグロメットにおいて、
前記グロメット本体部の小径環状部の案内面上に、前記案内面と周溝との境界から小径環状部の先端にわたる１つの引掛け用突起および１つ以上の節度感用突起を、円周方向に間隔をあけて設けたことを特徴とするグロメット。
【発明の詳細な説明】
【０００１】
【発明に属する技術分野】
この発明は、パネルにあけた貫通穴に装着される弾性材料からなるグロメットに関し、例えば、自動車におけるワイヤハーネスを通す貫通穴に装着して好適なグロメットに関する。
【０００２】
【従来の技術】
例えば自動車において、ワイヤハーネスをパネル（ボディパネル）の貫通穴に通す場合、貫通穴にゴム材料からなるグロメットを取り付けて、ワイヤハーネスの保護と貫通穴部分の車室内への防水、防塵、遮音等を図ることが行われている。
【０００３】
図７〜図９に従来のグロメットを示す。このグロメット１は、自動車においてワイヤハーネス（以下、電線１０という）を車室内からのエンジンルームやトランクルームに通す際等に使用されるもので、図９のようにパネル９の貫通穴９ａに装着される。このグロメット１は、貫通穴９ａに直接装着される概略筒状のグロメット本体部２と、前記グロメット本体部２内を通すべき電線１０を案内し保持する電線案内保持用筒部３とをゴム材料で一体成形した電線案内保持用筒部付きのグロメットである。前記電線案内保持用筒部３は、直線部分３ａ、蛇腹状部分３ｂ、Ｌ字状部分３ｃとからなり、Ｌ字状部分３ｃがグロメット本体部２に連接されている。
【０００４】
グロメット本体部２は、これをパネル９の貫通穴９ａに装着する際に貫通穴９ａを通過する小径環状部５と貫通穴９ａの背後に止まる大径環状部６とを備え、小径環状部５と大径環状部６との間の外周に、貫通穴９ａの周縁を嵌合させる係止用の周溝７を備えている。さらに、小径環状部５の外周面はテーパ状の案内面５ａとされている。また、大径環状部６側に、貫通穴９ａに装着した時に貫通穴９ａを密閉状態に保つためのシール部６ａを、周溝７の周囲でパネル９に面接触する態様で形成している。また、８は電線１０をテープで固定するための電線固定部材である。
【０００５】
上記グロメット１をパネル９の貫通穴９ａに取り付ける場合、貫通穴９ａへの挿入には一定の挿入力が必要となるが、図１０に示すように、小径環状部５の外周の案内面５ａの傾斜角度θを小さくすることで、グロメット１の挿入に要する力を低減することが行われている。
【０００６】
また、貫通穴への挿入力の低減を図った他のグロメットとして、例えば図１１、図１２に示したグロメット１１（特開平１０−２４７５５０号公報参照）がある。
このグロメット１１は、固定鍔部（大径環状部）１２と、固定鍔部１２の前面から同心円状に突出した係合鍔部（小径環状部）１３と、固定鍔部１２から延設された蛇腹状の電線保持部１７とを備えたゴム材からなる一体形状のグロメットであり、固定鍔部１２と係合鍔部１３との間にはパネル９の貫通穴９ａの周縁を若干嵌合させる浅い周溝１４が形成されている。そして、このグロメット１１では、係合鍔部１３の外周縁に２対（計４個）の係止リブ１８を配設するとともに、これらの係止リブ１８を撓みやすくするために、周溝１４の全周における係止リブ１８の部分を深くして、周溝１４よりさらに深い切欠溝１９としている。
【０００７】
【特許文献１】
特開平１０−２４７５５０号公報
【０００８】
【発明が解決しようとする課題】
図７〜図１０に示したグロメット１は、小径環状部５の案内面５ａの傾斜角度θを小さくすることでパネル９の貫通穴９ａへ挿入する力を低減することができるが、この方法を採用するとグロメット１を貫通穴９ａに装着する際に節度感（すなわち、周溝７に貫通穴９ａの周縁が確かに嵌合したという感触）があまり得られず、グロメット１の貫通穴９ａへの装着が不完全となる恐れがある。
また、図１１、図１２に示したグロメット１１は、貫通穴９ａに挿入するために必要な力を低減することができ、かつ貫通穴９ａとの強固な保持力を確保できるというものであるが、貫通穴９ａの周縁は、浅い周溝１４だけの部分と深い切欠溝１９のある係止リブ１８の部分とに接触することになり、貫通穴９ａの周縁の接触する部分が円周方向に一様ではないので、シール圧、すなわち、固定鍔部１２をパネル９の面に密着させる圧力すなわちシール圧が一様に得られない。このため、グロメット１１の材料の経年劣化によりグロメット１１のシール性が低下する可能性がある。
【０００９】
また、一体成形品ではないが、樹脂製のインナーグロメットとゴム製のアウターグロメットからなる２部品構成の低挿入力グロメットが使用されることもあるが、この種のグロメットは、パネルの貫通穴に装着する際の節度感が得られる反面、コストが高くなるという問題があった。
【００１０】
本発明は上記従来の欠点を解消するためになされたもので、パネルの貫通穴への挿入力を低減することができるだけでなく、貫通穴に装着する際に良好な節度感が得られ、かつ、一様なシール圧が得られるグロメットを提供することを目的とする。
【００１１】
【課題を解決するための手段】
上記課題を解決する請求項１の発明は、パネルの貫通穴を通過する小径環状部と貫通穴の背後に止まる大径環状部との間の外周に、貫通穴の周縁を嵌合させる係止用の周溝を備えるとともに、前記小径環状部の外周面がテーパ状の案内面とされた弾性材料一体成形のグロメットにおいて、
前記小径環状部の案内面上に、前記案内面と周溝との境界から小径環状部の先端にわたる１つの引掛け用突起および１つ以上の節度感用突起を、円周方向に間隔をあけて設けことを特徴とする。
【００１２】
請求項２は、請求項１のグロメットにおいて、引掛け用突起は節度感用突起より高さを高くし、節度感用突起はその頂部面が案内面のテーパに概ね沿う形状としたことを特徴とする。
【００１３】
請求項３は、請求項１〜２のグロメットにおいて、節度感用突起の周溝との境界となる後端面が概ね垂直をなすことを特徴とする。
【００１４】
請求項４は、請求項１〜３のグロメットにおいて、節度感用突起が、小径環状部の先端面にも延びていることを特徴とする。
【００１５】
請求項５は、請求項１〜４のグロメットにおいて、外周の周溝に対応する内面に、挿入時抵抗調節用の周溝を形成したことを特徴とする。
【００１６】
請求項６は、請求項１〜５のグロメットにおいて、引掛け用突起の部分に、小径環状部の先端面からさらに前方に突出する棒状の電線固定部材を一体に設けたことを特徴とする。
【００１７】
請求項７の発明は、パネルの貫通穴を通過する小径環状部と貫通穴の背後に止まる大径環状部との間の外周に、貫通穴の周縁を嵌合させる係止用の周溝を備えるとともに、前記小径環状部の外周面がテーパ状の案内面とされたグロメット本体部と、前記グロメット本体部内を通すべき電線を案内し保持する電線案内保持用筒部とを弾性材料により一体成形した電線案内保持部付きのグロメットにおいて、
前記グロメット本体部の小径環状部の案内面上に、前記案内面と周溝との境界から小径環状部の先端にわたる１つの引掛け用突起および１つ以上の節度感用突起を、円周方向に間隔をあけて設けたことを特徴とする。
【００１８】
【発明の実施の形態】
図１は本発明の一実施形態のグロメット２１の斜視図、図２は同正面図、図３は同平面図、図４は図２のＡ−Ａ拡大断面図である。
図示例のグロメット２１は、自動車においてワイヤハーネス（以下、電線１０という）を車室内からのエンジンルームやトランクルームに通す際等に使用されるもので、図３、図４のようにパネル９の貫通穴９ａに装着される。このグロメット２１は、貫通穴９ａに直接装着される概略筒状のグロメット本体部２２と、前記グロメット本体部２２内を通すべき電線１０を案内し保持する電線案内保持用筒部２３とを弾性材料で一体成形した電線案内保持用筒部付きのグロメットである。弾性材料としてエチレン−プロピレンゴム等のゴム材料を用いるとよい。
前記電線案内保持用筒部２３は、直線部分２３ａ、蛇腹状部分２３ｂ、Ｌ字状部分２３ｃとからなり、Ｌ字状部分２３ｃがグロメット本体部２２に連接されている。直線部分２３ａには、バンドを締め付けるときの位置決め突起２３ｄを設けている。
【００１９】
グロメット本体部２２は、これをパネル９の貫通穴９ａに装着する際に貫通穴９ａを通過する小径環状部２５と貫通穴９ａの背後に止まる大径環状部２６とを備え、小径環状部２５と大径環状部２６間の外周に、貫通穴９ａの周縁を嵌合させる係止用の周溝２７を備えている。さらに、小径環状部２５の外周面はテーパ状の案内面２５ａとされている。また、大径環状部２６側に、貫通穴９ａに装着した時に貫通穴９ａを密閉状態に保つためのシール部２６ａを、周溝２７の周囲でパネル９に面接触する態様で形成している。グロメット本体部２２の開口部を２８で示す。
【００２０】
上述した範囲では従来と概ね同様であるが、本発明では、前記小径環状部２５の案内面２５ａ上に、１つの引掛け用突起３０および１つ以上の節度感用突起３１を、円周方向に間隔をあけて設ける。各突起３０、３１はいずれも、前記案内面２５ａと周溝２７との境界ｐから小径環状部２５の先端にわたって形成されるとともに、引掛け用突起３０は節度感用突起３１より高さを高くし、また、節度感用突起３１はその頂部面３１ｂが案内面２５ａのテーパに概ね沿う形状とされている。引掛け用突起３０の高さは、多少余分に高くしてもよいが、節度感用突起３１の高さは、適切な節度感を得るために、例えば０．５ｍｍ〜２．５ｍｍ、好ましくは１．５ｍｍ〜２．０ｍｍの範囲が適切である。また、この実施形態では、引掛け用突起３０を電線案内保持用筒部２３が延びる側（図２で右側）に設け、２つの節度感用突起３１をその反対側で間隔をあけて設けている。図示例の引掛け用突起３０および節度感用突起３１はいずれも、周溝２７との境界Ｐとなる後端面３０ａ、３１ａが図４のように概ね垂直をなしている。また、図示例の節度感用突起３１は、小径環状部２５の先端面２５ｂにも延びている。さらに、グロメット本体部２２の外周の係止用の周溝２７に対応する内面に、挿入時抵抗調節用の周溝３３を形成している。また、前記引掛け用突起３０の部分に、小径環状部２５の先端面からさらに前方に突出する棒状の電線固定部材３４を一体に設けている。
【００２１】
上記のグロメット２１をパネル９に取り付ける場合、通常、予め電線１０を電線案内保持用筒部２３およびグロメット本体部２２内に通し、電線固定部材３４にテープ等で固定しておく。次いで、先に、引掛け用突起３０の部分だけをパネル９の貫通穴９ａに入れて、この引掛け用突起３０の部分の周溝２７をパネル９の貫通穴９ａの縁部に引っ掛け、その後グロメット本体部２２の全体を特に反対側（図４の上側）に力を入れて押し込むと、２つの節度感用突起３１の頂部面３１ｂが貫通穴９ａの周縁と摺動しながら、小径環状部２５の全体が貫通穴９ａを通過して、貫通穴９ａの周縁が周溝２７に嵌合し、グロメット本体部２２がパネル９の貫通穴９ａに装着される。
【００２２】
上記のグロメット２１の貫通穴９ａへの装着時の作用を詳しく説明すると、
節度用突起３１がパネル９の貫通穴９ａの周縁に接触しながら押し込まれつつある間は、グロメット本体部２２の押し込みに対する挿入抵抗が次第に増加していく。そして、節度用突起３１が貫通穴９ａを通過すると、節度用突起３１の後端面３１ａは略垂直でありかつ直ちに周溝２７になっているので、挿入抵抗が急激に消失すると同時に、貫通穴９ａの周縁が周溝２７に嵌合する。この急激な抵抗変化が、周溝２７に貫通穴９ａの周縁が間違いなく嵌合したという確かな感触、すなわち節度感が得られる。
また、このグロメット２１における係合用の周溝２７は全周にわたって均一かつ十分な深さのものであるから、図１１、図１２のグロメット１１のように係止リブ１８の部分の切欠溝１９を除いて浅い周溝７しかないものと比べて、十分高い保持力を確保することができる。
【００２３】
また、グロメット本体部２２を貫通穴９ａに装着した状態では、各突起３０、３１の端面３０ａ、３１ａはパネル９に接触しない（また接触しても力を作用させない）ので、シール部２６ａはパネル９に貫通穴９ａの全周にわたって均等なシール圧で面接触することができる。すなわち、シール部２６ａは貫通穴９ａの全周でパネル９の面に十分な圧力で密着し、このため、グロメット２１の材料が経年劣化した場合でも、グロメット２１のシール性の低下を確実に抑えることができる。
さらに、外周の係止用の周溝２７に対応する内面に挿入時抵抗調節用の周溝３３を設けているので、係止用の周溝２７の肉厚部分が薄く柔軟性が高くなり、したがって、小径環状部２５の部分が撓み易くなり、グロメット本体部２２を貫通穴９ａに挿入する際の力を軽減することができる。また、この周溝３３は内面側にあって円周方向の一部分でなく全周のものであるから、図１１、図１２のように浅い周溝１４の一部分（係止リブ１８の部分）を深く（切欠溝１９）した周方向に不均一な従来のグロメット１１と異なり、貫通穴９ａの全周にわたって一様なシール性が保たれる。
【００２４】
また、引掛け用突起３０の内側部分に電線固定部材３４を設けたので、グロメット本体部２２の開口部２８より延出した電線１０が邪魔になることはなく、グロメット本体２２を貫通穴９ａに取り付ける際の作業性が向上する。
【００２５】
なお、本発明のグロメットにおける節度用突起３１の個数は２つに限定されない。例えば図５に示したグロメット２１Ａのように、１つの節度感用突起３１のみを引掛け用突起３０の１８０°対向する位置に設けてもよいし、図６に示したグロメット２１Ｂのように、３つの節度感用突起３１を設けてもよい。なお、図５、図６で他の部分は図１〜図４の実施形態と同じである。
【００２６】
また、上述の各実施形態のグロメット２１は、Ｌ形に延出する電線案内保持用筒部２３をもつ構成であるが、グロメット本体部２２の軸線方向に直線的に延出（図４で右方に延出）する直線状の電線案内保持用筒部をもつ構成であってもよい。また、実施形態は、グロメット本体部２２に電線案内保持用筒部２３を一体に設けた電線案内保持用筒部付きのグロメットであるが、電線案内保持用筒部がなくグロメット本体部２２のみからなる通常のグロメットであってもよい。
また、本発明のグロメットはパネルの貫通穴に取り付けるものであるが、ここでパネルとは必ずしも広い面のものを言うものではなく、例えばケースの壁をなすもの等であってもよい。
また、本発明のグロメットは自動車用に限定されるものでなく、種々の用途のグロメットとして適用できる。また、グロメットに通すものも電線に限定されず、チューブやホース等でもよい。
【００２７】
【発明の効果】
本発明のグロメットによれば、小径環状部のテーパ状の案内面上に、前記案内面と周溝との境界から小径環状部の先端にわたる１つの引掛け用突起および１つ以上の節度感用突起を、円周方向に間隔をあけて設けたので、次のような効果が得られる。
▲１▼グロメットをパネルの貫通穴に装着する際、節度用突起が貫通穴を通過する際に抵抗となり、貫通穴の周縁が周溝に嵌合した時に、急激な抵抗変化となるので、周溝に貫通穴の周縁が間違いなく嵌合したという確かな感触、すなわち良好な節度感が得られる。
▲２▼係合用の周溝は全周にわたって均一かつ十分な深さのものであるから、従来のグロメット（図１１、図１２）のように係止リブの部分の切欠溝を除いて浅い周溝しかないものと比べて、十分高い保持力を確保することができる。
▲３▼また、グロメット本体部を貫通穴に装着した状態では、各突起の端面はパネルに接触しない（また接触しても力を作用させない）ので、シール部はパネルに貫通穴の全周にわたって均等なシール圧で面接触することができ、すなわち十分な圧力で密着する。したがって、グロメットの材料が経年劣化した場合でも、グロメットのシール性の低下を確実に抑えることができる。
【００２８】
請求項２によれば、引掛け用突起の機能および節度感用突起の機能がそれぞれ適切かつ有効に発揮され、グロメット装着時の良好な節度感が得られる。
請求項３によれば、グロメットの貫通穴への挿入抵抗が急激に消失することとなるので、グロメット装着時の節度感をより確実に得ることができる。
請求項４によれば、グロメットを貫通穴に装着する際に、節度感用突起が貫通穴に接触する初期の動作が円滑になる。
【００２９】
請求項５によれば、外周の係止用の周溝に対応する内面に挿入時抵抗調節用の周溝を設けているので、小径環状部の部分が撓み易くなり、グロメット本体部を貫通穴に挿入する際の力を軽減することができる。また、この周溝は内面側にあって円周方向の一部分でなく全周のものであるから、浅い周溝の一部分を深くした周方向に不均一な溝を持つ従来のグロメット（図１１、図１２）と異なり、貫通穴の全周にわたって一様なシール性が保たれる。
【００３０】
請求項６によれば、引掛け用突起の内側部分に電線固定部材を設けたので、電線が邪魔になることはなく、グロメットを貫通穴に装着する際の作業性が向上する。
【００３１】
請求項７によれば、パネルの貫通穴に嵌合するグロメット本体部と、このグロメット本体部内に通すべき電線を案内し保持する電線案内保持用筒部とを一体に備えるので、例えば自動車用のワイヤハーネスを通すグロメット等に好適である。
【図面の簡単な説明】
【図１】本発明の一実施形態のグロメットの斜視図である。
【図２】図１の正面図である。
【図３】図１の平面図である。
【図４】図２の要部のＡ−Ａ拡大断面図である。
【図５】本発明の他の実施形態のグロメットの正面図である。。
【図６】本発明のさらに他の実施形態のグロメットの正面図である。。
【図７】従来のグロメットの斜視図である。
【図８】図７の正面図である。
【図９】図８のＢ−Ｂ断面図である。
【図１０】図９のＣ部拡大図である。
【図１１】従来の他のグロメットの正面図である。
【図１２】図１１のＤ−Ｄ断面図である。
【符号の説明】
９  パネル
９ａ  貫通穴
１０  電線
２１  グロメット
２２  グロメット本体部
２３  電線案内保持用筒部
２３ａ  直線状部
２３ｂ  蛇腹状部
２３ｃ  Ｌ字状部分
２３ｄ  位置決め突起
２５  小径環状部
２５ａ  案内面
２５ｂ  （小径環状部の）先端面
２６  大径環状部
２６ａ  シール部
２８  開口部
３０  引掛け用突起
３１  節度用突起
３１ａ  （節度感用突起の）後端面
３３  内面周溝
３４  電線固定部材
Ｐ    案内面と周溝との境界
【図１】
2004274886.tif 000003
【図２】
2004274886.tif 000004
【図３】
2004274886.tif 000005
【図４】
2004274886.tif 000006
【図５】
2004274886.tif 000007
【図６】
2004274886.tif 000008
【図７】
2004274886.tif 000009
【図８】
2004274886.tif 000010
【図９】
2004274886.tif 000011
【図１０】
2004274886.tif 000012
【図１１】
2004274886.tif 000013
【図１２】
2004274886.tif 000014